(57)【要約】      （修正有）【課題】温浴室内を温浴に適した温度に維持できる温浴装置の提供。【解決手段】温浴装置Ａは、溶岩レンガ１１〜１３を長方形に積層してなる外壁１と、耐火レンガ２１を長方形に積層、壁前面へヒータ載置用の耐火レンガを置いた内壁２と、耐火レンガ上にセラミックファイバーヒータ３１を横積してなる発熱体３と、セラミックファイバーヒータ３２、耐火レンガ２３、セラミックファイバーヒータ、および天板４１、４２とにより構成されている。セラミックファイバーヒータ３１を配置しない面を温浴室の壁面に臨ませて温浴装置Ａを設置すれば、断面略コ字状に温浴者用の広い温浴空間を確保でき，温浴室内を温浴に適した温度に維持できる。【選択図】図１
0003140280.tif 000002
【実用新案登録請求の範囲】
【請求項１】
断面が長方形となる様に、直方体形状の遠赤放射レンガを複数個、積み上げ互いを接着してなる外壁と、
直方体形状の耐火レンガを複数個、積み上げて互いを接着して壁断面を長方形にするとともに、少なくとも三方の壁前面へヒータ載置用に前記耐火レンガを並べた内壁と、
前記ヒータ載置用の耐火レンガ上に板状のセラミックファイバーヒータを、外壁背面にヒータ前面が近接し、内壁前面にヒータ後面が当接する様に複数個、横積してなる発熱体とを具備してなる温浴装置。
【請求項２】
三方のヒータ底縁が内壁上面で支持される様に蓋用のセラミックファイバーヒータを内壁上に載置するとともに、各レンガ底端が内壁上面で支持される様に蓋用の耐火レンガを複数個、内壁上に載置して内壁上開口部を塞いだことを特徴とする請求項１に記載の温浴装置。
【請求項３】
断面が長方形となる様に、直方体形状の遠赤放射レンガを複数個、積み上げ互いを接着してなる外壁と、
直方体形状の耐火レンガを複数個、積み上げて互いを接着して壁断面を長方形にするとともに、二方の壁前面へヒータ載置用に前記耐火レンガを置いた内壁と、
前記ヒータ載置用の耐火レンガ上に、外壁背面にヒータ前面が当接し、内壁前面にヒータ後面が当接する様に載置した板状のセラミックファイバーヒータとを具備してなる温浴装置。
【請求項４】
天板底縁部が外壁上面で支持される様に、金属製の天板を載置したことを特徴とする請求項２または請求項３に記載の温浴装置。
【請求項５】
断面が長方形となる様に、直方体形状の遠赤放射レンガを複数個、積み上げ互いを接着してなる外壁と、
外壁背面に三方の壁前面が近接する様に、直方体形状の耐火レンガを複数個、積み上げて互いを接着して壁断面を長方形にした内壁と、
残りの一方の壁前面に置いたヒータ載置用の耐火レンガ上へ、外壁背面にヒータ前面が近接し、内壁前面にヒータ後面が近接する様に、板状のセラミックファイバーヒータを複数個、横積してなる下側発熱体と、
該下側発熱体の上面へ置いたヒータ載置用の耐火レンガ上へ、外壁背面にヒータ前面が近接し、内壁前面にヒータ後面が近接する様に、前記セラミックファイバーヒータを複数個、横積してなる上側発熱体と、
内壁上面および上側発熱体上面でレンガ底面を支持する様に、蓋用の耐火レンガを複数個、載置して内壁上開口部を塞いだことを特徴とする温浴装置。
【請求項６】
断面が扇形となる様に、直方体形状の遠赤放射レンガを複数個、積み上げ互いを接着してなる外壁と、
直方体形状の耐火レンガを複数個、積み上げて互いを接着して壁断面を前記外壁と同心の円弧状にした内壁と、
壁前面に複数個、置いたヒータ載置用の耐火レンガ上へ、外壁背面にヒータ前面が臨み、内壁前面にヒータ後面が臨む様に、板状のセラミックファイバーヒータを複数個、載置してなる下側発熱体と、
該下側発熱体の上面に複数個、置いたヒータ載置用の耐火レンガ上へ、外壁背面にヒータ前面が臨み、内壁前面にヒータ後面が臨む様に、前記セラミックファイバーヒータを複数個、載置してなる上側発熱体とを具備してなる温浴装置。
【請求項７】
前記遠赤放射レンガの材質は、溶岩石、麦飯石、化石黄土、黄土、ゲルマ鉱石、水晶、ラジウム陶板、岩塩、薬宝玉石、木紋石、古代石、トルマリン、または天寿石であることを特徴とする請求項１乃至請求項６の何れかに記載の温浴装置。
【考案の詳細な説明】
【技術分野】
【０００１】
本考案は、浴室内の温度を３０℃〜９０℃にして温浴を行える様にする温浴装置に関する。
【背景技術】
【０００２】
電気ヒータを使って浴室内の温度を昇温させて温浴を行える様にした温浴装置が知られている。
【０００３】
また、加熱源で加熱した発熱体を浴室内へ入れて温浴を行える様にした温浴装置も知られている。
また、蒸気供給方式の温浴装置も知られている（特許文献１）。
【特許文献１】特開２００１−１２９０５０号公報
【考案の開示】
【考案が解決しようとする課題】
【０００４】
通常の電気ヒータは、対流式で浴室内の空気を温める構造であるので熱効率が悪い。また、メンテナンスに手間がかかる。
加熱した発熱体を浴室内へ入れる技術は、時間経過とともに発熱体が冷えていくので、交互に発熱体を加熱する必要がある。
蒸気供給方式の温浴装置は、コストがかかる。
【０００５】
本考案の目的は、温浴室内を温浴に適した温度に維持できる温浴装置の提供。
【課題を解決するための手段】
【０００６】
〔請求項１について〕
温浴装置は、断面が長方形となる様に、直方体形状の遠赤放射レンガを複数個、積み上げ互いを接着してなる外壁と、直方体形状の耐火レンガを複数個、積み上げて互いを接着して壁断面を長方形にするとともに、少なくとも三方の壁前面へヒータ載置用に耐火レンガを並べた内壁と、ヒータ載置用の耐火レンガ上に板状のセラミックファイバーヒータを、外壁背面にヒータ前面が近接し、内壁前面にヒータ後面が当接する様に複数個、横積してなる発熱体とを具備してなる。
【０００７】
遠赤放射レンガの外壁背面にヒータ前面が近接する様に、板状のセラミックファイバーヒータを、ヒータ載置用の耐火レンガ上に配置しているので、通電するとセラミックファイバーヒータが発熱して高温になり、遠赤放射レンガを背後から加熱する。
遠赤放射レンガの前面から温浴室内へ遠赤外線が放射（輻射）されるため、温浴室内を温浴に適した温度（３０℃〜９０℃）にすることができる。
三方の壁前面へヒータ載置用に耐火レンガを並べて内壁とした場合には、セラミックファイバーヒータを配置しない面を温浴室の壁面に臨ませて温浴装置を設置すれば、断面略コ字状に温浴者用の広い温浴空間を確保できる。
また、四方の壁前面へヒータ載置用に耐火レンガを並べて内壁として温浴室へ温浴装置を設置すれば、温浴者用の広い温浴空間を確保できる。
【０００８】
耐火レンガの内壁前面にヒータ後面が当接する様にセラミックファイバーヒータを複数個、ヒータ載置用の耐火レンガ上に横積配置しているので、熱が耐火レンガ製の内壁内へ伝わり難いため、内壁内の温度が低く抑えられる。
このため、内壁内に臨ませた被覆電線の被覆の熱変形を起こさずにセラミックファイバーヒータへ通電することができる。
セラミックファイバーヒータは、ヒータ載置用の耐火レンガ上に配置され、他の部材に固定されていないので、交換やメンテナンスが容易である。
【０００９】
〔請求項２について〕
温浴装置は、三方のヒータ底縁が内壁上面で支持される様に蓋用のセラミックファイバーヒータを内壁上に載置するとともに、各レンガ底端が内壁上面で支持される様に蓋用の耐火レンガを複数個、内壁上に載置して内壁上開口部を塞いでいる。
【００１０】
内壁上開口部が塞がれているので、蓋用のセラミックファイバーヒータ上面、蓋用の耐火レンガ上面、および発熱体上面を覆う様に金属製の蓋板を載置することができる。なお、蓋板の上には、岩石を載せたり、水入り薬罐を載せることもできる。
【００１１】
〔請求項３について〕
温浴装置は、断面が長方形となる様に、直方体形状の遠赤放射レンガを複数個、積み上げ互いを接着してなる外壁と、直方体形状の耐火レンガを複数個、積み上げて互いを接着して壁断面を長方形にするとともに、二方の壁前面へヒータ載置用に耐火レンガを置いた内壁と、ヒータ載置用の耐火レンガ上に、外壁背面にヒータ前面が当接し、内壁前面にヒータ後面が当接する様に内壁上に載置した板状のセラミックファイバーヒータとを具備してなる。
【００１２】
遠赤放射レンガの外壁背面にヒータ前面が当接する様に、板状のセラミックファイバーヒータを、ヒータ載置用の耐火レンガ上に載置しているので、通電するとセラミックファイバーヒータが発熱して高温になり、遠赤放射レンガを背後から加熱する。
遠赤放射レンガの前面から温浴室内へ遠赤外線が放射（輻射）されるため、温浴室内を温浴に適した温度（３０℃〜９０℃）にすることができる。
セラミックファイバーヒータを配置しない面を温浴室の各壁面に臨ませて温浴装置を設置すれば、温浴者用の温浴空間を両側に確保できる。これにより、各温浴空間で温浴者を分離（男女等）することができる。
【００１３】
内壁前面にヒータ後面が当接する様にセラミックファイバーヒータを、ヒータ載置用の耐火レンガ上に載置しているので、熱が耐火レンガ製の内壁内へ伝わり難いため、内壁内の温度が低く抑えられる。このため、内壁内に臨ませた被覆電線の被覆の熱変形を起こさずにセラミックファイバーヒータへ通電することができる。
セラミックファイバーヒータは、ヒータ載置用の耐火レンガ上に配置され、他の部材に固定されていないので、交換やメンテナンスが容易である。
【００１４】
〔請求項４について〕
天板底縁部が外壁上面で支持される様に、金属製の天板を載置している。このため、天板の上に、岩石を載せたり、水入り薬罐を載せることができる。
【００１５】
〔請求項５について〕
温浴装置は、断面が長方形となる様に、直方体形状の遠赤放射レンガを複数個、積み上げ互いを接着してなる外壁と、外壁背面に三方の壁前面が近接する様に、直方体形状の耐火レンガを複数個、積み上げて互いを接着して壁断面を長方形にした内壁と、残りの一方の壁前面に置いたヒータ載置用の耐火レンガ上へ、外壁背面にヒータ前面が近接し、内壁前面にヒータ後面が近接する様に、板状のセラミックファイバーヒータを複数個、横積してなる下側発熱体と、下側発熱体の上面へ置いたヒータ載置用の耐火レンガ上へ、外壁背面にヒータ前面が近接し、内壁前面にヒータ後面が近接する様に、セラミックファイバーヒータを複数個、横積してなる上側発熱体と、内壁上面および上側発熱体上面でレンガ底面を支持する様に、蓋用の耐火レンガを複数個、載置して内壁上開口部を塞いでいる。
【００１６】
遠赤放射レンガの外壁背面にヒータ前面が近接する様に、セラミックファイバーヒータを、複数個、ヒータ載置用の耐火レンガ上に横積して下側発熱体とし、下側発熱体の上面へ置いたヒータ載置用の耐火レンガ上へ、遠赤放射レンガの外壁背面にヒータ前面が近接する様に、セラミックファイバーヒータを複数個、横積している。
【００１７】
このため、通電すると、上側および下側発熱体が発熱して高温になり、遠赤放射レンガを背後から加熱する。
遠赤放射レンガの前面から温浴室内へ遠赤外線が放射（輻射）されるため、温浴室内を温浴に適した温度（３０℃〜９０℃）にすることができる。
セラミックファイバーヒータを配置した側を全て広い温浴空間にすることができる。また、温浴室の上方にも遠赤外線を放射できるので、温浴室を階段状にすれば大人数を収容することができる。
セラミックファイバーヒータは、ヒータ載置用の耐火レンガ上に横積され、他の部材に固定されていないので、交換やメンテナンスが容易である。
【００１８】
〔請求項６について〕
温浴装置は、断面が扇形となる様に、直方体形状の遠赤放射レンガを複数個、積み上げ互いを接着してなる外壁と、直方体形状の耐火レンガを複数個、積み上げて互いを接着して壁断面を外壁と同心の円弧状にした内壁と、壁前面に複数個、置いたヒータ載置用の耐火レンガ上へ、外壁背面にヒータ前面が臨み、内壁前面にヒータ後面が臨む様に、板状のセラミックファイバーヒータを複数個、載置してなる下側発熱体と、この下側発熱体の上面に複数個、置いたヒータ載置用の耐火レンガ上へ、外壁背面にヒータ前面が臨み、内壁前面にヒータ後面が臨む様に、セラミックファイバーヒータを複数個、載置してなる上側発熱体とを具備してなる。
【００１９】
壁前面に置いたヒータ載置用の耐火レンガ上へ、外壁背面にヒータ前面が臨む様にセラミックファイバーヒータを載置して下側発熱体とし、この下側発熱体の上面に置いたヒータ載置用の耐火レンガ上へ、外壁背面にヒータ前面が臨む様にセラミックファイバーヒータを載置して上側発熱体としている。
【００２０】
このため、通電すると、上側および下側発熱体が発熱して高温になり、遠赤放射レンガを背後から加熱する。
遠赤放射レンガの前面から温浴室内へ遠赤外線が放射（輻射）されるため、温浴室内を温浴に適した温度（３０℃〜９０℃）にすることができる。
温浴装置を温浴室のコーナーに設置すれば、残りの温浴室を全て広い温浴空間にすることができる。また、温浴室の上方にも遠赤外線が放射（輻射）させるので、温浴室を階段状にすれば大人数を収容することができる。
セラミックファイバーヒータは、ヒータ載置用の耐火レンガ上に載置され、他の部材に固定されていないので、交換やメンテナンスが容易である。
【００２１】
〔請求項７について〕
遠赤放射レンガの材質は、溶岩石、麦飯石、化石黄土、黄土、ゲルマ鉱石、水晶、ラジウム陶板、岩塩、薬宝玉石、木紋石、古代石、トルマリン、または天寿石である。
【００２２】
遠赤放射レンガの材質が溶岩石の場合には、カリウム、マグネシウム、鉄分、炭素、その他のミネラルの含有量が豊富で、遠赤外線の放射（輻射）により多様な効果を体の内外へもたらす。また、溶岩石は、マイナスイオン効果、成人病の改善や予防に効果があるとされるバナジウムを多く含む。
【００２３】
遠赤放射レンガの材質が麦飯石の場合には、強い吸着力により、水の浄化、ミネラル分の溶出と活性化、水分中の富酸素化をもたらす。
【００２４】
遠赤放射レンガの材質が化石黄土の場合には、化石が酵素を出す際に、マイナスイオンおよび赤外線を大量に発生させる。また、ミネラル分が豊富なためミネラルを溶出する。  
【００２５】
遠赤放射レンガの材質が黄土の場合には、人体に一番良い４μｍ〜２０μｍの遠赤外線の波長帯を放射し、その光エネルギーが身体の分子とが共振作用を起こして分子運動を活発化させる。その後、熱エネルギーに転換して身体の内部深層まで到達し、新陳代謝を促進させる。
その他、下記の効能がある。
・体内老廃物を除去する作用がある。
・ストレスが原因の不眠の解消。
・高血圧、ウイルス疾病、糖尿病、成人病の改善。
・慢性疲労、頭痛、関節炎、リューマチの改善。
・交通事故の後遺症、術後の後遺症の改善。
【００２６】
遠赤放射レンガの材質がゲルマ鉱石の場合には、昇温（３２℃以上）によって放出される無数のマイナス電子が新陳代謝を活発化させ、腰痛、肩こり、慢性疲労、冷え性、不眠、生理痛を改善する。また、生体電流を調整する。
【００２７】
遠赤放射レンガの材質が水晶の場合には、遠赤外線の放射（輻射）とともに、マイナスイオンも放出し、温浴室環境を浄化するため、ストレスの緩和に寄与する。その他、不眠改善、老化防止、解毒作用、血液浄化作用がある。
【００２８】
ラジウム陶板とは、陶板にラジウム等の鉱石粉末を微量に混合したものである。遠赤放射レンガの材質がラジウム陶板の場合には、微量の放射線により発汗を促し、自然治癒力を高める。また、水の浄化、異臭の分解、電磁波耐性の向上効果がある。
【００２９】
遠赤放射レンガの材質が岩塩の場合には、岩塩の酸化還元力により活性酸素を除去し、皮膚の老化（皺や弛み）やトラブル（肌荒れ、吹き出物、面皰）を防ぐ効果がある。
遠赤放射レンガの材質が薬宝玉石の場合には、遠赤外線の放射（輻射）とともに、豊富なミネラルの溶出により、代謝機能の促進や体内への酵素補給増加が期待できる。
【００３０】
遠赤放射レンガの材質が木紋石の場合には、高い遠赤外線放射効果以外に、マイナスイオンの放出、脱臭効果、殺菌効果がある。その他、体の基礎機能の向上効果、細胞の活性化、体内時計の正常化効果がある。
【００３１】
遠赤放射レンガの材質が古代石の場合には、遠赤外線の放射率が高い（９０％以上）、また、消臭、殺菌力、ミネラル抽出に効果を発揮する。
遠赤放射レンガの材質がトルマリンの場合には、アルカリイオンと遠赤外線効果により、美肌効果や自然治癒力が期待できる。
遠赤放射レンガの材質が天寿石の場合には、遠赤外線の放射率が高く、特に、波動数値が高い。
【考案を実施するための最良の形態】
【００３２】
温浴装置は、遠赤放射レンガを複数段、長方形に積み上げ互いを接着してなる外壁と、耐火レンガを複数段、長方形に積み上げ互いを接着し、壁前面（２つの長辺、１つの短辺）へヒータ載置用の耐火レンガを置いた内壁と、ヒータ載置用の各耐火レンガ上にセラミックファイバーヒータを、外壁背面にヒータ前面が近接し、内壁前面にヒータ後面が当接する様に横積してなる発熱体と、内壁上に載置される蓋用のセラミックファイバーヒータ（１枚）および蓋用の耐火レンガ（複数枚）と、蓋用のセラミックファイバーヒータおよび耐火レンガ上に載置されるステンレス製の天板（三枚）とにより構成されている。
セラミックファイバーヒータを配置しない面を温浴室の壁面に臨ませて温浴装置を設置すれば、断面略コ字状に温浴者用の広い温浴空間を確保できる。
【実施例１】
【００３３】
本考案の実施例１（請求項１、２、４、７に対応）を図１、図２に基づいて説明する。  図１に示す如く、温浴装置Ａは、壁断面が長方形となる様に溶岩レンガ１１、１２、１３を積み上げ接着剤で接着して構成した外壁１と、壁断面が長方形となる様に耐火レンガ２１を積み上げ接着剤で接着し、壁前面（１つの短辺、３つの長辺）にヒータ載置用の耐火レンガ２２を並べた内壁２と、耐火レンガ２２上にセラミックファイバーヒータ３１を横積してなる発熱体３と、蓋用のセラミックファイバーヒータ３２および耐火レンガ２３と、天板４１、４２とを備える。
【００３４】
溶岩レンガ１１（Ｗ３００×Ｄ１００×Ｈ２００）は、表面に遠赤外線を放射するセラミック塗料（５００℃耐熱）を専用シンナーを使って塗布してあり、３２個、使用している。
溶岩レンガ１２（Ｗ２０５×Ｄ１００×Ｈ２００）は、表面に遠赤外線を放射するセラミック塗料（５００℃耐熱）を専用シンナーを使って塗布してあり、１２個、使用している。
溶岩レンガ１３（Ｗ２００×Ｄ１００×Ｈ５０）は、表面に遠赤外線を放射するセラミック塗料（５００℃耐熱）を専用シンナーを使って塗布してあり、２１０個、使用している。
【００３５】
耐火レンガ２１、２２（Ｗ２３０×Ｄ１１４×Ｈ６５）は、耐火性を有し、合わせて２１５個、使用している。耐火レンガ２２は、ヒータ載置用のレンガであり、三方の壁前面（１つの短辺、３つの長辺）へ並べられている。
耐火レンガ２３（Ｗ４６０×Ｄ１１４×Ｈ６５）は、蓋用の耐火レンガであり、レンガ底端が内壁上面で支持される様に１２個、内壁２の上に載置されている。
【００３６】
発熱体３は、電圧２００Ｖ、消費電力３．５ｋＷのセラミックファイバーヒータ３１、３２（Ｗ４８０×Ｄ１００×Ｈ４８０）を、合計１０個、使用したものである。
なお、３２は内壁２上に載置される蓋用のセラミックファイバーヒータであり、ヒータ底縁の三方が内壁２の上面で支持されている。
また、２３は蓋用の耐火レンガであり、レンガ底端が内壁２の上面で支持される様に１２個、内壁２の上に横載されている。
そして、セラミックファイバーヒータ３２および１２個の耐火レンガ２３により、内壁２の上開口部が塞がれている。
【００３７】
天板４１、４２（ステンレス製）は、皿状を呈し、天板底縁部が外壁上面で支持される様に載置されている。なお、天板４１、４２上には、多数の岩石４０が載置されている。  
【００３８】
本実施例の温浴装置Ａは、以下の利点を有する。
溶岩レンガ１１〜１３の外壁１の背面にヒータ前面が近接する様に、セラミックファイバーヒータ３１を耐火レンガ２２の上へ載せて配置し、内壁２の上にセラミックファイバーヒータ３２を載置しているので、ヒータへ通電するとセラミックファイバーヒータ３１、３２が発熱して高温になり、溶岩レンガ１１〜１３を背後から加熱することができる。溶岩レンガ１１〜１３の前面から温浴室内へ遠赤外線が放射（輻射）されるため、温浴室内を温浴に適した温度（３０℃〜９０℃）にすることができる。
【００３９】
セラミックファイバーヒータ３１を配置しない面（図示右側）を温浴室の壁面に臨ませて温浴装置Ａを設置することにより、断面略コ字状に温浴者用の広い温浴空間を確保できる。
耐火レンガ２１の内壁前面にヒータ後面が当接する様にセラミックファイバーヒータ３１を耐火レンガ２２上に横積配置しているので、熱が耐火レンガ製の内壁２内へ伝わり難いため、内壁２内の温度が比較的低く抑えられる。
このため、内壁２内に臨ませた被覆電線の被覆の熱変形を起こさずにセラミックファイバーヒータ３１、３２へ通電することができる。
セラミックファイバーヒータ３１、３２の交換やメンテナンスが容易である。
【実施例２】
【００４０】
本考案の実施例２（請求項１、２、４、７に対応）を図３、図４に基づいて説明する。  図３に示す如く、温浴装置Ｂは、壁断面が長方形となる様に溶岩レンガ１１、１２、１３を積み上げ接着剤で接着して構成した外壁１と、壁断面が長方形となる様に耐火レンガ２１を積み上げ接着剤で接着し、壁前面（１つの短辺、３つの長辺）にヒータ載置用の耐火レンガ２２を並べた内壁２と、耐火レンガ２２上にセラミックファイバーヒータ３１を横積してなる発熱体３と、蓋用のセラミックファイバーヒータ３２および耐火レンガ２３と、天板４３、４４とを備える。
【００４１】
本実施例では、溶岩レンガ１１を２４個、使用し、溶岩レンガ１２を４個、使用し、溶岩レンガ１３を１６０個、使用している。
本実施例では、耐火レンガ２１、２２を合わせて１１５個、使用している。耐火レンガ２２は、ヒータ載置用のレンガであり、三方の壁前面（１つの短辺、３つの長辺）へ並べられている。また２３は蓋用の耐火レンガであり、レンガ底端が内壁上面で支持される様に３個、内壁２の上に載置されている。
【００４２】
本実施例では、発熱体３は、セラミックファイバーヒータ３１、３２を、合計６個、使用したものである。なお、３２は内壁２上に載置される蓋用のセラミックファイバーヒータであり、ヒータ底縁の三方が内壁２上面で支持されている。
そして、セラミックファイバーヒータ３２および３個の耐火レンガ２３により、内壁２の上開口部が塞がれている。
【００４３】
天板４３、４４（ステンレス製）は、皿状を呈し、天板底縁部が外壁上面で支持される様に載置されている。なお、天板４３、４４上には、多数の岩石４０が載置されている。  
【００４４】
本実施例の温浴装置Ｂは、以下の利点を有する。
溶岩レンガ１１〜１３の外壁背面にヒータ前面が近接する様に、ヒータ載置用の耐火レンガ２２上にセラミックファイバーヒータ３１を配置し、内壁２の上にセラミックファイバーヒータ３２を配置しているので、ヒータへ通電するとセラミックファイバーヒータ３１、３２が発熱して高温になり溶岩レンガ１１〜１３を背後から加熱することができる。  溶岩レンガ１１〜１３の前面から温浴室内へ遠赤外線が放射（輻射）されるため、温浴装置Ａより若干狭い温浴室内、を温浴に適した温度（３０℃〜９０℃）にすることができる。
【００４５】
セラミックファイバーヒータ３１を配置しない面（図示右側）を温浴室の壁面に臨ませて温浴装置Ｂを設置することにより、断面略コ字状に温浴者用の温浴空間を確保できる。  耐火レンガ２１の内壁前面にヒータ後面が当接する様にセラミックファイバーヒータ３１を耐火レンガ２２上に横積配置しているので、熱が耐火レンガ製の内壁２内へ伝わり難いため、内壁２内の温度が比較的低く抑えられる。
このため、内壁２内に臨ませた被覆電線の被覆の熱変形を起こさずにセラミックファイバーヒータ３２へ通電することができる。
セラミックファイバーヒータ３１、３２の交換やメンテナンスが容易である。
【実施例３】
【００４６】
本考案の実施例３（請求項３、４、７に対応）を図５に基づいて説明する。
図５に示す如く、温浴装置Ｃは、壁断面が長方形となる様に溶岩レンガ１３、１４を積み上げ接着剤で接着して構成した外壁１と、壁断面が長方形となる様に耐火レンガ２１を積み上げ接着剤で接着し、壁前面（２つの長辺）にヒータ載置用の耐火レンガ２２を並べた内壁２と、耐火レンガ２２上にセラミックファイバーヒータ３３を立設してなる発熱体３と、天板４５とを備える。
【００４７】
本実施例では、外壁１の中部〜上部に溶岩レンガ１３を９０個使用し、外壁１の下部に溶岩レンガ１４を１６個、使用している。
溶岩レンガ１４は、大きさがＷ２００×Ｄ１００×Ｈ３００であり、表面に遠赤外線を放射するセラミック塗料（５００℃耐熱）を専用シンナーを使って塗布している。
【００４８】
耐火レンガ２２は、二方の壁前面（２つの長辺）へ複数個、並べられている。
天板４５（ステンレス製）は、天板底縁部が外壁上面で支持される様に、装置上面に載置されている。
【００４９】
発熱体３は、電圧２００Ｖ、消費電力４．１５ｋＷの縦長のセラミックファイバーヒータ３３（Ｗ４０６×Ｄ５１×Ｈ７６２）を２個、組み合わせて構成されている。
【００５０】
本実施例の温浴装置Ｃは、以下の利点を有する。
溶岩レンガ１３、１４の外壁背面にヒータ前面が当接する様にセラミックファイバーヒータ３３を耐火レンガ２２上に載置しているので、通電するとセラミックファイバーヒータ３３が発熱して高温になり、溶岩レンガ１３、１４を背後から加熱する。
【００５１】
溶岩レンガ１３、１４の前面から温浴室内へ遠赤外線が放射されるため、温浴室内を温浴に適した温度（３０℃〜９０℃）にすることができる。なお、セラミックファイバーヒータ３３を配置しない面を温浴室の各壁面に臨ませて温浴装置を設置する様にすれば、温浴者用の温浴空間を温浴室の両側に確保できる。これにより、各温浴空間で温浴者を分離（男女等）することができる。
【００５２】
内壁前面にヒータ後面が当接する様にセラミックファイバーヒータ３３を、ヒータ載置用の耐火レンガ２２上に載置しているので、熱が耐火レンガ製の内壁２内へ伝わり難いため、内壁２内の温度が低く抑えられる。このため、内壁２内に臨ませた被覆電線の被覆の熱変形を起こさずにセラミックファイバーヒータ３３へ通電することができる。
【００５３】
天板底縁部が外壁１の上面で支持される様に、ステンレス製の天板４５を装置上部に載置している。このため、天板４５の上に、岩石４０を載せたり、水入り薬罐を載せることができる。
また、図５の（ｈ）に示す様に、溶岩レンガ１３を積み上げ接着剤で接着して外壁１を構成しても良い。
【実施例４】
【００５４】
本考案の実施例４（請求項５、７に対応）を図６および図７に基づいて説明する。
図６に示す如く、温浴装置Ｄは、壁断面が長方形となる様に溶岩レンガ１３を積み上げ接着剤で接着して構成した外壁１と、外壁１の背面に壁前面（１つの短辺、２つの長辺）が近接する様に、耐火レンガ２１を積み上げ接着剤で接着し、壁前面（１つの長辺）にヒータ載置用の耐火レンガ２２を並べて構成した内壁２と、耐火レンガ上２２へセラミックファイバーヒータ３１を横積してなる下側発熱体５１と、下側発熱体５１の上面へ置いた耐火レンガ２４上へセラミックファイバーヒータ３１を横積してなる上側発熱体５２と、蓋用の耐火レンガ２３とを備える。
【００５５】
本実施例では、外壁１に溶岩レンガ１３を６２４個、使用し、耐火レンガ２３を１６個、使用し  耐火レンガ２１、２２を合計、３２８個、使用している。
２３は蓋用の耐火レンガであり、上側発熱体５２および内壁２の上面でレンガ底端が支持される様に１６個、横設されている。
【００５６】
下側発熱体５１および上側発熱体５２は、電圧２００Ｖ、消費電力３．５ｋＷのセラミックファイバーヒータ３１（Ｗ４８０×Ｄ１００×Ｈ４８０）を合計８個、横積して構成されている。
【００５７】
本実施例の温浴装置Ｄは、以下の利点を有する。
溶岩レンガ１３の外壁背面にヒータ前面が近接する様に、セラミックファイバーヒータ３１を四個横積し、耐火レンガ２２上に横積して下側発熱体５１とし、下側発熱体５１の上面へ置いた耐火レンガ２４上へ、溶岩レンガ１３の外壁背面にヒータ前面が近接する様に、セラミックファイバーヒータ３１を四個、横積している。
【００５８】
このため、通電すると、下側発熱体５１および上側発熱体５２が発熱して高温になり、溶岩レンガ１３を背後から加熱する。
溶岩レンガ１３の前面から温浴室内へ遠赤外線が放射（輻射）されるため、温浴室内を温浴に適した温度（３０℃〜９０℃）にすることができる。
セラミックファイバーヒータ３１を配置した面側を全て広い温浴空間にすることができる。また、温浴室の上方にも遠赤外線を放射（輻射）できるので、温浴室を階段状にすれば大人数を収容することができる。
セラミックファイバーヒータ３１の交換やメンテナンスが容易である。
【実施例５】
【００５９】
本考案の実施例５（請求項６、７に対応）を図８および図９に基づいて説明する。
図８および図９に示す如く、本実施例の温浴装置Ｅは、断面が扇形となる様に、溶岩レンガ１３、１５を積み上げ互いを接着してなる外壁１と、耐火レンガ２１、２５、２６を積み上げて互いを接着して壁断面を外壁と同心の円弧状にした内壁２と、内壁２の壁前面に置いた耐火レンガ２１上へセラミックファイバーヒータ３１を載置してなる下側発熱体６１と、下側発熱体６１の上面に置いた耐火レンガ２１上へセラミックファイバーヒータ３１を載置してなる上側発熱体６２とを具備してなる。
【００６０】
本実施例では、外壁１に溶岩レンガ１３を２４２個、使用し、溶岩レンガ１５を２３１個、使用し、耐火レンガ２１を１５個、使用し、耐火レンガ２６を２６個、使用し、耐火レンガ２５を１１１個、使用している。
溶岩レンガ１５（Ｗ１８４〜２００×Ｄ１００×Ｈ５０）は、表面に遠赤外線を放射するセラミック塗料（５００℃耐熱）を専用シンナーを使って塗布してある。
耐火レンガ２５は、Ｗ２０４〜２３０×Ｄ１１４×Ｈ６５の大きさである。
また、４６は天板である。
【００６１】
本実施例の温浴装置Ｅは、以下の利点を有する。
内壁２の壁前面に置いた耐火レンガ２１上へ、外壁１の背面にヒータ前面が臨む様にセラミックファイバーヒータ３１を載置して下側発熱体６１とし、この下側発熱体６１の上面に置いたヒータ載置用の耐火レンガ２１上へ、外壁１の背面にヒータ前面が臨む様にセラミックファイバーヒータ３１を載置して上側発熱体６２としている。
【００６２】
このため、通電すると下側発熱体６１および上側発熱体６２が発熱して高温になり、耐火レンガ２１を背後から加熱する。
耐火レンガ２１の前面から温浴室内へ遠赤外線が放射（輻射）されるため、温浴室内を温浴に適した温度（３０℃〜９０℃）にすることができる。
温浴装置Ｅを温浴室のコーナーに設置すれば、残り部位の温浴室を全て広い温浴空間にすることができる。また、温浴室の上方にも遠赤外線が放射（輻射）させるので、温浴室を階段状にすれば大人数を収容することができる。
セラミックファイバーヒータ３１の交換やメンテナンスが容易である。
【図面の簡単な説明】
【００６３】
【図１】（ａ）は実施例１に係る温浴装置の平面図、（ｂ）はその温浴装置のヒータ内部平面図、（ｃ）はその温浴装置のｄ−ｄ線断面図、（ｄ）はその温浴装置の側面図、（ｅ）および（ｆ）は天板の傾視図である。
【図２】（ａ）は実施例１に係る温浴装置の正面図、（ｂ）はその温浴装置のｃ−ｃ線断面図、（ｃ）はｂ−ｂ線断面図、（ｄ）はａ−ａ線断面図である。
【図３】（ａ）は実施例２に係る温浴装置の平面図、（ｂ）はその温浴装置のヒータ内部平面図、（ｃ）はその温浴装置のｃ−ｃ線断面図、（ｄ）はその温浴装置の側面図、（ｅ）および（ｆ）は天板の傾視図である。
【図４】（ａ）は実施例２に係る温浴装置の正面図、（ｂ）はその温浴装置のｃ−ｃ線断面図、（ｃ）はｂ−ｂ線断面図、（ｄ）はａ−ａ線断面図である。
【図５】（ａ）は実施例３に係る温浴装置のヒーター設置部位の上面図、（ｂ）はその温浴装置のヒーター設置部位の正面図、（ｃ）はその温浴装置のヒーター設置部位の側面図、（ｄ）はその温浴装置の天板詳細図、（ｅ）はその温浴装置の溶岩レンガ大積時の上面図、（ｆ）はその温浴装置の溶岩レンガ積上の正面図、（ｇ）はその温浴装置の溶岩レンガ積上の側面図である、（ｈ）はその温浴装置の溶岩レンガ小積時の上面図である。
【図６】（ａ）は実施例４に係る温浴装置の平面図、（ｂ）はその温浴装置のｂ−ｂ線断面図、（ｃ）はその温浴装置の最下段の耐火レンガ積パターンの説明図である。
【図７】（ａ）は実施例４に係る温浴装置のｃ−ｃ線断面図、（ｂ）はその温浴装置の側面図、（ｃ）はその温浴装置のｃ−ｃ線断面図、（ｄ）はその温浴装置の正面図である。
【図８】（ａ）は実施例５に係る温浴装置の平面図、（ｂ）はその温浴装置のｂ−ｂ線断面図、（ｃ）はその温浴装置の偶数段の溶岩レンガ積パターンの説明図である。
【図９】（ａ）は実施例５に係る温浴装置の側面図、（ｂ）はその温浴装置のａ−ａ線断面図、（ｃ）はその温浴装置の正面図、（ｄ）はその温浴装置のｃ−ｃ線断面図である。
【符号の説明】
【００６４】
１  外壁
２  内壁
３  発熱体
１１、１２、１３、１４、１５  溶岩レンガ（遠赤放射レンガ）
２１、２２、２３  耐火レンガ
３１、３２、３３  セラミックファイバーヒータ
４５  天板                                                                      ５１、６１  下側発熱体
５２、６２  上側発熱体
【図１】
0003140280.tif 000003
【図２】
0003140280.tif 000004
【図３】
0003140280.tif 000005
【図４】
0003140280.tif 000006
【図５】
0003140280.tif 000007
【図６】
0003140280.tif 000008
【図７】
0003140280.tif 000009
【図８】
0003140280.tif 000010
【図９】
0003140280.tif 000011